(57)【特許請求の範囲】
【請求項１】
広視野角パネルであって、複数の互いに平行な走査線、複数の互いに平行なデータ線、及び複数のサブ画素を備え、
前記走査線と前記データ線は交差するように分布し、前記サブ画素はアレイ状に分布し、各行の前記サブ画素と各前記走査線は交互に配置され、各列の前記サブ画素と各前記データ線は交互に配置され、各前記サブ画素はいずれも前記走査線及び前記データ線と電気的に接続され、
各行の前記サブ画素では、３つのサブ画素毎に１つの画素セルを構成し、前記画素セルはアレイ状に分布し、前記画素セルは、第１画素セルと第２画素セルを含み、前記第１画素セルの輝度は、前記第２画素セルの輝度より高く、単一の前記第１画素セルの面積は、単一の前記第２画素セルの面積と等しく、前記第１画素セルは、前記アレイ内に均一に分布し、前記第２画素セルは、前記アレイ内に均一に分布し、
前記第１画素セルの数と前記第２画素セルの数の比は０．１〜１００であり、第１画素セルを構成するサブ画素は第１サブ画素であり、第２画素セルを構成するサブ画素は第２サブ画素であり、同じ行の前記サブ画素における前記第１サブ画素と前記第２サブ画素はいずれも、この行のサブ画素に対応する前記走査線に接続され、同じ列の前記サブ画素における前記第１サブ画素と前記第２サブ画素はいずれも、この列のサブ画素に対応する前記データ線に接続され、各サブ画素には第１ＴＦＴが接続され、前記第１ＴＦＴのゲートは、このサブ画素に対応する走査線に接続され、前記第１ＴＦＴのソースは、このサブ画素に対応するデータ線に接続され、前記第１ＴＦＴのドレインは、電気容量を介してこのサブ画素の画素電極に接続され、各前記第２サブ画素には、前記第２サブ画素の画素電極の電圧を低くするために、第２ＴＦＴが更に接続され、各行の画素セルでは、各第１画素セルと各第２画素セルは交互に分布し、各列の画素セルでは、各第１画素セルと各第２画素セルは交互に分布する、ことを特徴とする広視野角パネル。
【請求項２】
広視野角パネルであって、複数の互いに平行な走査線、複数の互いに平行なデータ線、及び複数のサブ画素を備え、
前記走査線と前記データ線は交差するように分布し、前記サブ画素はアレイ状に分布し、各行の前記サブ画素と各前記走査線は交互に配置され、各列の前記サブ画素と各前記データ線は交互に配置され、各前記サブ画素はいずれも前記走査線及び前記データ線と電気的に接続され、
各行の前記サブ画素では、３つのサブ画素毎に１つの画素セルを構成し、前記画素セルはアレイ状に分布し、前記画素セルは、第１画素セルと第２画素セルを含み、前記第１画素セルの輝度は、前記第２画素セルの輝度より高く、単一の前記第１画素セルの面積は、単一の前記第２画素セルの面積と等しく、前記第１画素セルは、前記アレイ内に分布し、前記第２画素セルは、前記アレイ内に分布し、
第１画素セルを構成するサブ画素は第１サブ画素であり、
第２画素セルを構成するサブ画素は第２サブ画素であり、
同じ行の前記サブ画素における前記第１サブ画素と前記第２サブ画素はいずれも、この行のサブ画素に対応する前記走査線に接続され、
同じ列の前記サブ画素における前記第１サブ画素と前記第２サブ画素はいずれも、この列のサブ画素に対応する前記データ線に接続され、
各サブ画素には第１ＴＦＴが接続され、前記第１ＴＦＴのゲートは、このサブ画素に対応する走査線に接続され、前記第１ＴＦＴのソースは、このサブ画素に対応するデータ線に接続され、前記第１ＴＦＴのドレインは、電気容量を介してこのサブ画素の画素電極に接続され、
各前記第２サブ画素には、前記第２サブ画素の画素電極の電圧を低くするために、第２ＴＦＴが更に接続される、ことを特徴とする広視野角パネル。
【請求項３】
前記第２ＴＦＴのゲートは、この第２サブ画素が位置する行に対応する走査線に接続され、前記第２ＴＦＴのソース／ドレインの一端は、この第２サブ画素の画素電極に接続され、他端はこの第２サブ画素に対応する共通電極に接続される、ことを特徴とする請求項２に記載の広視野角パネル。
【請求項４】
前記第２ＴＦＴのゲートは、この第２サブ画素が位置する行の次行のサブ画素に対応する走査線に接続され、前記第２ＴＦＴのソース／ドレインの一端は、電気容量を介してこの第２サブ画素の画素電極に接続され、他端は、この第２サブ画素に対応する共通電極に接続される、ことを特徴とする請求項２に記載の広視野角パネル。
【請求項５】
各行の画素セルでは、各第１画素セルと各第２画素セルは交互に分布し、且つ、各列の画素セルでは、各第１画素セルと各第２画素セルは交互に分布する、ことを特徴とする請求項２〜４のいずれか一項に記載の広視野角パネル。
【請求項６】
前記画素セルにより形成されたアレイにおいて、各前記第２画素セルの周りを囲む８つの前記画素セルはいずれも第１画素セルである、ことを特徴とする請求項２〜４のいずれか一項に記載の広視野角パネル。
【請求項７】
広視野角パネルであって、複数の互いに平行な走査線、複数の互いに平行なデータ線、及び複数のサブ画素を備え、
前記走査線と前記データ線は交差するように分布し、前記サブ画素はアレイ状に分布し、各行の前記サブ画素と各前記走査線は交互に配置され、各列の前記サブ画素と各前記データ線は交互に配置され、各前記サブ画素はいずれも前記走査線及び前記データ線と電気的に接続され、
各行の前記サブ画素では、３つのサブ画素毎に１つの画素セルを構成し、前記画素セルはアレイ状に分布し、前記画素セルは、第１画素セルと第２画素セルを含み、前記第１画素セルの輝度は、前記第２画素セルの輝度より高く、単一の前記第１画素セルの面積は、単一の前記第２画素セルの面積と等しく、前記第１画素セルは、前記アレイ内に分布し、前記第２画素セルは、前記アレイ内に分布し、
第１画素セルを構成するサブ画素は第１サブ画素であり、
第２画素セルを構成するサブ画素は第２サブ画素であり、
同じ行の前記サブ画素における前記第１サブ画素と前記第２サブ画素はいずれも、この行のサブ画素に対応する前記走査線に接続され、
同じ列の前記サブ画素における前記第１サブ画素と前記第２サブ画素はいずれも、この列のサブ画素に対応する前記データ線に接続され、
各行の画素セルでは、少なくとも２つの隣接する前記画素セルは１つの行画素セル群を構成し、前記行画素セル群は、第１行画素セル群及び第２行画素セル群を含み、前記第１行画素セル群における画素セルはいずれも第１画素セルであり、前記第２行画素セル群における画素セルはいずれも第２画素セルであり、前記第１行画素セル群と前記第２行画素セル群は、各行の画素セルにおいて交互に分布し、
各列の画素セルでは、少なくとも２つの隣接する前記画素セルは１つの列画素セル群を構成し、前記列画素セル群は、第１列画素セル群及び第２列画素セル群を含み、前記第１列画素セル群における画素セルはいずれも第１画素セルであり、前記第２列画素セル群における画素セルはいずれも第２画素セルであり、前記第１列画素セル群と前記第２列画素セル群は、各列の画素セルにおいて交互に分布する、ことを特徴とする広視野角パネル。
【請求項８】
前記第１画素セルの数と前記第２画素セルの数の比は０．１〜１００である、ことを特徴とする請求項２〜７のいずれか一項に記載の広視野角パネル。
【請求項９】
表示装置であって、前記表示装置は広視野角パネルを備え、前記広視野角パネルは、複数の互いに平行な走査線、複数の互いに平行なデータ線及び複数のサブ画素を備え、
前記走査線と前記データ線は交差するように分布し、前記サブ画素はアレイ状に分布し、各行の前記サブ画素と各前記走査線は交互に配置され、各列の前記サブ画素と各前記データ線は交互に配置され、各前記サブ画素はいずれも前記走査線及び前記データ線と電気的に接続され、
各行の前記サブ画素では、３つのサブ画素毎に１つの画素セルを構成し、前記画素セルはアレイ状に分布し、前記画素セルは、第１画素セルと第２画素セルを含み、前記第１画素セルの輝度は、前記第２画素セルの輝度より高く、単一の前記第１画素セルの面積は、単一の前記第２画素セルの面積と等しく、前記第１画素セルは、前記アレイ内に分布し、前記第２画素セルは、前記アレイ内に分布し、
第１画素セルを構成するサブ画素は第１サブ画素であり、
第２画素セルを構成するサブ画素は第２サブ画素であり、
同じ行の前記サブ画素における前記第１サブ画素と前記第２サブ画素はいずれも、この行のサブ画素に対応する前記走査線に接続され、
同じ列の前記サブ画素における前記第１サブ画素と前記第２サブ画素はいずれも、この列のサブ画素に対応する前記データ線に接続され、
各サブ画素には第１ＴＦＴが接続され、前記第１ＴＦＴのゲートは、このサブ画素に対応する走査線に接続され、前記第１ＴＦＴのソースは、このサブ画素に対応するデータ線に接続され、前記第１ＴＦＴのドレインは、電気容量を介して、このサブ画素の画素電極に接続され、
各前記第２サブ画素には、前記第２サブ画素の画素電極の電圧を低くするために、第２ＴＦＴが更に接続される、ことを特徴とする表示装置。
【請求項１０】
前記第２ＴＦＴのゲートは、この第２サブ画素が位置する行に対応する走査線に接続され、前記第２ＴＦＴのソース／ドレインの一端は、この第２サブ画素の画素電極に接続され、他端はこの第２サブ画素に対応する共通電極に接続される、ことを特徴とする請求項９に記載の表示装置。
【請求項１１】
前記第２ＴＦＴのゲートは、この第２サブ画素が位置する行の次行のサブ画素に対応する走査線に接続され、前記第２ＴＦＴのソース／ドレインの一端は、電気容量を介してこの第２サブ画素の画素電極に接続され、他端は、この第２サブ画素に対応する共通電極に接続される、ことを特徴とする請求項９に記載の表示装置。
【請求項１２】
各行の画素セルでは、各第１画素セルと各第２画素セルは交互に分布し、且つ、各列の画素セルでは、各第１画素セルと各第２画素セルは交互に分布する、ことを特徴とする請求項９〜１１のいずれか一項に記載の表示装置。
【請求項１３】
前記画素セルにより形成されたアレイにおいて、各前記第２画素セルの周りを囲む８つの前記画素セルはいずれも第１画素セルである、ことを特徴とする請求項９〜１１のいずれか一項に記載の表示装置。
【請求項１４】
表示装置であって、前記表示装置は広視野角パネルを備え、前記広視野角パネルは、複数の互いに平行な走査線、複数の互いに平行なデータ線及び複数のサブ画素を備え、
前記走査線と前記データ線は交差するように分布し、前記サブ画素はアレイ状に分布し、各行の前記サブ画素と各前記走査線は交互に配置され、各列の前記サブ画素と各前記データ線は交互に配置され、各前記サブ画素はいずれも前記走査線及び前記データ線と電気的に接続され、
各行の前記サブ画素では、３つのサブ画素毎に１つの画素セルを構成し、前記画素セルはアレイ状に分布し、前記画素セルは、第１画素セルと第２画素セルを含み、前記第１画素セルの輝度は、前記第２画素セルの輝度より高く、単一の前記第１画素セルの面積は、単一の前記第２画素セルの面積と等しく、前記第１画素セルは、前記アレイ内に分布し、前記第２画素セルは、前記アレイ内に分布し、
第１画素セルを構成するサブ画素は第１サブ画素であり、
第２画素セルを構成するサブ画素は第２サブ画素であり、
同じ行の前記サブ画素における前記第１サブ画素と前記第２サブ画素はいずれも、この行のサブ画素に対応する前記走査線に接続され、
同じ列の前記サブ画素における前記第１サブ画素と前記第２サブ画素はいずれも、この列のサブ画素に対応する前記データ線に接続され、
各行の画素セルでは、少なくとも２つの隣接する前記画素セルは１つの行画素セル群を構成し、前記行画素セル群は、第１行画素セル群及び第２行画素セル群を含み、前記第１行画素セル群における画素セルはいずれも第１画素セルであり、前記第２行画素セル群における画素セルはいずれも第２画素セルであり、前記第１行画素セル群と前記第２行画素セル群は、各行の画素セルにおいて交互に分布し、
各列の画素セルでは、少なくとも２つの隣接する前記画素セルは、１つの列画素セル群を構成し、前記列画素セル群は、第１列画素セル群及び第２列画素セル群を含み、前記第１列画素セル群における画素セルはいずれも第１画素セルであり、前記第２列画素セル群における画素セルはいずれも第２画素セルであり、前記第１列画素セル群と前記第２列画素セル群は、各列の画素セルにおいて交互に分布する、ことを特徴とする表示装置。
【請求項１５】
前記第１画素セルの数と前記第２画素セルの数の比は０．１〜１００である、ことを特徴とする請求項９〜１４のいずれか一項に記載の表示装置。
【発明の詳細な説明】
【技術分野】
【０００１】
本発明は液晶表示技術の分野に関し、特に広視野角パネル及び表示装置に関する。
【背景技術】
【０００２】
ＶＡ（Ｖｅｒｔｉｃａｌ  Ａｌｉｇｎｍｅｎｔ）パネルは、現在のハイエンド液晶としてよく使用されているパネル型であり、広視野角パネルに属する。
【０００３】
従来のＶＡモード液晶パネルを広視野角で見ると、色ずれが発生しやすい。広視野角パネルの色ずれを改善するために、既存の広視野角パネルでは、画素が２つの領域に分割されている。パネルが動作する際に、１方の領域（メイン）の輝度が高く、他方の領域（サブ）の輝度が低く、輝度が異なる２つの領域によって、パネルの広視野角特性は改善される。
【０００４】
しかしながら、サブ領域の面積が広い（画素開口領域の約６０％を占める）ため、画素全体の透過率が大きく犠牲になり、バックライトの消費電力が増加する。このことは、現在の環境保護やエネルギー節約のコンセプトには適合しない。また、メイン領域内においてはすべての画素が高輝度であり、サブ領域内においてはすべての画素が低輝度である。高輝度の画素と低輝度の画素がそれぞれ過度に集中して、２つの領域の輝度の差が明らかすぎるため、視覚的効果が低下する。
【発明の概要】
【発明が解決しようとする課題】
【０００５】
本発明は、従来技術におけるバックライトの消費電力が高いという課題を解決できる広視野角パネル及び表示装置を提供する。
【課題を解決するための手段】
【０００６】
上述した技術的課題を解決するために、本発明の１つの技術的解決手段は、広視野角パネルを提供する。この広視野角パネルは、複数の互いに平行な走査線、複数の互いに平行なデータ線、及び複数のサブ画素を備える。前記走査線と前記データ線は交差するように分布し、前記サブ画素はアレイ状に分布し、各行の前記サブ画素と各前記走査線は交互に配置され、各列の前記サブ画素と各前記データ線は交互に配置され、各前記サブ画素はいずれも前記走査線及び前記データ線と電気的に接続される。各行の前記サブ画素では、３つのサブ画素毎に１つの画素セルを構成し、前記画素セルはアレイ状に分布し、前記画素セルは、第１画素セルと第２画素セルを含み、前記第１画素セルの輝度は、前記第２画素セルの輝度より高く、単一の前記第１画素セルの面積は、単一の前記第２画素セルの面積と等しく、前記第１画素セルは、前記アレイ内に均一に分布し、前記第２画素セルは、前記アレイ内に均一に分布する。
【０００７】
前記第１画素セルの数と前記第２画素セルの数の比は０．１〜１００である。
【０００８】
第１画素セルを構成するサブ画素は第１サブ画素であり、第２画素セルを構成するサブ画素は第２サブ画素である。同じ行の前記サブ画素における前記第１サブ画素と前記第２サブ画素はいずれもこの行のサブ画素に対応する前記走査線と接続される。同じ列の前記サブ画素における前記第１サブ画素と前記第２サブ画素はいずれもこの列のサブ画素に対応する前記データ線と接続される。
【０００９】
各サブ画素には第１ＴＦＴが接続され、前記第１ＴＦＴのゲートは、このサブ画素に対応する走査線に接続され、前記第１ＴＦＴのソースは、このサブ画素に対応するデータ線に接続され、前記第１ＴＦＴのドレインは、容量に接続されてからこのサブ画素の画素電極に接続され、各前記第２サブ画素には、前記第２サブ画素の画素電極の電圧を低くするために、第２ＴＦＴが更に接続される。
【００１０】
前記第２ＴＦＴのゲートは、この第２サブ画素が位置する行に対応する走査線に接続され、前記第２ＴＦＴのソース／ドレインの一端は、この第２サブ画素の画素電極に接続され、他端はこの第２サブ画素に対応する共通電極に接続される。
【００１１】
前記第２ＴＦＴのゲートは、この第２サブ画素が位置する行の次行のサブ画素に対応する走査線に接続され、前記第２ＴＦＴのソース／ドレインの一端は、この第２サブ画素の画素電極に接続され、他端は容量に接続されてから、この第２サブ画素に対応する共通電極に接続される。
【００１２】
各行の画素セルでは、各第１画素セルと各第２画素セルは交互に分布し、且つ、各列の画素セルでは、各第１画素セルと各第２画素セルは交互に分布する。
【００１３】
各行の画素セルでは、少なくとも２つの隣接する前記画素セルは１つの行画素セル群を構成し、前記行画素セル群は、第１行画素セル群及び第２行画素セル群を含み、前記第１行画素セル群における画素セルはいずれも第１画素セルであり、前記第２行画素セル群における画素セルはいずれも第２画素セルであり、前記第１行画素セル群と前記第２行画素セル群は、各行の画素セルにおいて交互に分布する。各列の画素セルでは、少なくとも２つの隣接する前記画素セルは１つの列画素セル群を構成し、前記列画素セル群は、第１列画素セル群及び第２列画素セル群を含み、前記第１列画素セル群における画素セルはいずれも第１画素セルであり、前記第２列画素セル群における画素セルはいずれも第２画素セルであり、前記第１列画素セル群と前記第２列画素セル群は、各列の画素セルにおいて交互に分布する。
【００１４】
前記画素セルにより形成されたアレイにおいて、各前記第２画素セルの周りを囲む８つの前記画素セルはいずれも第１画素セルである。
【００１５】
上述した技術的課題を解決するために、本発明の他の技術的解決手段は、上記広視野角パネルを備える表示装置を提供する。
【発明の効果】
【００１６】
本発明の有益な効果は以下のとおりである。本発明は、従来技術とは異なり、広視野角パネル内の画素セルを、輝度の高い第１画素セルと輝度の低い第２画素セルとの２種類（単一の第１画素セルの面積は、単一の第２画素セルの面積と等しく、且つ、第１画素セルと第２画素セルはアレイにおいて均一に分布する）に分けて、この２種類の画素セルをパネル全体において均一に混合されることによって、広視野角パネルの色ずれ問題を改善し、広視野角の特性を改善することができるだけでなく、広視野角パネルの透過率を向上させることもでき、それにより、バックライトの消費電力を低減し、エネルギーを節約し、環境にやさしい。また、２種類の画素セルは均一に混合されるため、輝度差のある２種類の画素セルが過度に集中して視覚的効果に影響を及ぼすことがなく、この２種類の画素セルの数の比を任意に調節することができ、設計がより柔軟になる。
【図面の簡単な説明】
【００１７】
以下、本発明の実施例の技術的手段を更に詳細に説明するために、実施例の説明に必要な図面を簡単に説明する。当然のことながら、下記の説明における図面は本発明の幾つかの実施例に過ぎず、当業者であれば、創造的な労働をしない前提で、これらの図面に基づいて他の図面を得ることができる。
【図１】本発明の広視野角パネルの第１実施例における画素セルの分布模式図である。
【図２】本発明の広視野角パネルの第２実施例における画素セルの分布模式図である。
【図３】本発明の広視野角パネルの第３実施例における画素セルの分布模式図である。
【図４】本発明の広視野角パネルのサブ画素と走査線及びデータ線との接続構造の第１実施例の模式図である。
【図５】本発明の広視野角パネルのサブ画素と走査線及びデータ線との接続構造の第２実施例の模式図である。
【図６】本発明の表示装置の実施例の構造模式図である。
【発明を実施するための形態】
【００１８】
以下では、本発明の実施例の添付図面を参照しながら、本発明の実施例の技術的解決手段を明確かつ完全に説明する。当然のことながら、ここで説明する実施例は本発明の実施例の全てではなく一部にすぎない。当業者が創造的な作業なしに本発明の実施例に基づいて得る他の全ての実施例は、本発明の保護範囲に入る。
【００１９】
図１と図４を参照すると、図１は、本発明の広視野角パネルの第１実施例における画素ユニットの分布模式図である。図４は、本発明の広視野角パネルのサブ画素と走査線及びデータ線との接続構造の第１実施例の模式図である。
【００２０】
本発明の広視野角パネルは液晶表示パネルであり、表示領域及び非表示領域（図示せず）を含む。表示領域は、複数の互いに平行な走査線１００、複数の互いに平行なデータ線２００及び複数のサブ画素３００を備える。各サブ画素３００は画素電極を備え、この画素電極は１つの共通電極に対応し、且つ、この画素電極と共通電極との間には静電容量が形成して、電界を発生させて液晶を偏向させる。
【００２１】
走査線１００と前記データ線２００は交差するように分布し、前記サブ画素３００はアレイ状に分布し、各行の前記サブ画素３００と各前記走査線１００は交互に配置され、各列の前記サブ画素３００と各前記データ線２００は交互に配置され、各前記サブ画素３００はいずれも前記走査線１００及び前記データ線２００に電気的に接続される。
【００２２】
本発明において、各行の前記サブ画素３００では、３つのサブ画素３００毎に１つの画素セル３０を構成し、前記画素セル３０はアレイ状に分布する。１つの画素セル３０を構成する３つのサブ画素３００はそれぞれ赤色サブ画素（Ｒ）、緑色サブ画素（Ｇ）及び青色サブ画素（Ｂ）である。
【００２３】
具体的には、前記画素セル３０は、第１画素セル３１と第２画素セル３２を含む。前記第１画素セル３１の輝度は、前記第２画素セル３２の輝度より高く、単一の前記第１画素セル３１の面積は、単一の前記第２画素セル３２の面積と等しく、前記第１画素セル３１は、前記アレイ内に均一に分布し、前記第２画素セル３２は、前記アレイ内に均一に分布する。
【００２４】
本発明は、従来技術とは異なり、広視野角パネル内の画素セル３０を、輝度の高い第１画素セル３１と輝度の低い第２画素セル３２との２種類（単一の第１画素セル３１の面積は、単一の第２画素セル３２の面積と等しく、且つ、第１画素セル３１と第２画素セル３２はアレイにおいて均一に分布する）に分けて、この２種類の画素セル３０をパネル全体において均一に混合されることによって、広視野角パネルの色ずれ問題を改善し、広視野角の特性を改善することができるだけでなく、広視野角パネルの透過率を向上させることもでき、それにより、バックライトの消費電力を低減し、エネルギーを節約し、環境にやさしい。また、２種類の画素セル３０は均一に混合されるため、輝度差のある２種類の画素セル３０は集中しすぎて視覚的効果に影響を及ぼすことがなく、この２種類の画素セル３０の数の比を任意に調節することができ、設計がより柔軟になる。
【００２５】
具体的には、第１画素セル３１の数と前記第２画素セル３２の数の比は０．１〜１００である。例えば、第１画素セル３１の数と前記第２画素セル３２の数の比は１０〜８０であり、又は第１画素セル３１の数と前記第２画素セル３２の数の比は４０〜７０であり、又は第１画素セル３１の数と前記第２画素セル３２の数の比は５０〜６０である。
【００２６】
図１を参照し続けると、本実施例において、各行の画素セル３０では、各第１画素セル３１と各第２画素セル３２は交互に分布し、且つ、各列の画素セル３０では、各第１画素セル３１と各第２画素セル３２は交互に分布する。各第１画素セル３１の上下左右の４つの方向にはいずれも１つの第２画素セル３２がある。各第２画素セル３２も同様に、その上下左右の４つの方向にはいずれも１つの第１画素セル３１がある。
【００２７】
このような分布方式によれば、第１画素セル３１の数と第２画素セル３２の数の比は１：１となり、高輝度の第１画素セル３１の面積は５０％に拡大されるため、広視野角パネルの透過率を効果的に向上させることができるので、バックライトの消費電力は低減される。また、第１画素セル３１と第２画素セル３２は均一に混合されるため、視覚的効果を改善するとともに、広視野角特性を改善することができる。
【００２８】
図２を参照すると、図２は、本発明の広視野角パネルの第２実施例における画素セルの分布模式図である。
【００２９】
各行の画素セル３０では、少なくとも２つの隣接する前記画素セル３０は、１つの行画素セル群を構成する。本実施例では、各行における２つの隣接する画素セル３０は１つの行画素セル群を構成する。当然のことながら、他の実施例では、３つの隣接する画素セル３０であってもよく、又は、４つ、５つ若しくはそれ以上であってもよい。前記行画素セル群は、第１行画素セル群３１０及び第２行画素セル群３２０を含む。前記第１行画素セル群３１０における画素セル３０はいずれも第１画素セル３１であり、前記第２行画素セル群３２０における画素セルはいずれも第２画素セル３２である。前記第１行画素セル群３１０と前記第２行画素セル群３２０は、各行の画素セル３０において交互に分布する。また、各列の画素セル３０では、少なくとも２つの隣接する前記画素セル３０は、１つの列画素セル群を構成する。本実施例では、各列における２つの隣接する画素セル３０は１つの列画素セル群を構成する。当然のことながら、他の実施例では、３つの隣接する画素セル３０であってもよく、又は、４つ、５つ若しくはそれ以上であってもよい。前記列画素セル群は、第１列画素セル群３１１及び第２列画素セル群３２１を含む。前記第１列画素セル群３１１における画素セルはいずれも第１画素セル３１であり、前記第２列画素セル群３２１における画素セルはいずれも第２画素セル３２である。前記第１列画素セル群３１１と前記第２列画素セル群３２１は、各列の画素セル３０において交互に分布する。
【００３０】
本実施例の画素セル３０の配置方式によれば、同様に、第１画素セル３１の数と第２画素セル３２の数の比は１：１となり、高輝度の第１画素セルの面積は５０％に拡大されるため、広視野角パネルの透過率を効果的に向上させることができるので、バックライトの消費電力は低減される。また、各行において、第１行画素セル群３１０と第２行画素セル群３２０は交互に配置され、各列において、第１列画素セル群３１１と第２列画素セル群３２１は交互に配置されることによって、第１画素セル３１と第２画素セル３２はアレイに均一に分布するので、パネルの広視野角及び視覚的効果を改善することができる。
【００３１】
図３を参照すると、図３は、本発明の広視野角パネルの第３実施例における画素セルの分布模式図である。
【００３２】
本実施例では、前記画素セル３０により形成されたアレイにおいて、各前記第２画素セル３２の周りを囲む８つの前記画素セルはいずれも第１画素セル３１である。
【００３３】
本実施例の第１画素セル３１と第２画素セル３２の数の比は３：１であり、即ち、高輝度の第１画素セル３１の占める面積は７５％に拡大され、残りの２５％の面積は第２画素セル３２であり、パネルの広視野角特性を向上させるために使用される。従って、本実施例も、パネルの透過率を効果的に向上させ、バックライトの消費電力を低減し、且つ、第１画素セル３１と第２画素セル３２が過度に集中していないため、視覚的効果がよりよい。
【００３４】
図４を参照すると、図４は、本発明の広視野角パネルのサブ画素と走査線及びデータ線との接続構造の第１実施例の模式図である。
【００３５】
本発明の広視野角パネルでは、第１画素セル３１を構成するサブ画素３００は第１サブ画素３０１であり、第２画素セル３２を構成するサブ画素３００は第２サブ画素３０２である。
【００３６】
本実施例では、第１サブ画素３０１及び第２サブ画素３０２に同じ階調信号が入力されるが、第１サブ画素３０１の輝度は、第２サブ画素３０２の輝度より高い。
【００３７】
具体的には、同じ行の前記サブ画素３００における前記第１サブ画素３０１と前記第２サブ画素３０２はいずれも、この行のサブ画素３００に対応する前記走査線１００に接続される。同じ列の前記サブ画素３００における前記第１サブ画素３０１と前記第２サブ画素３０２はいずれも、この列のサブ画素３００に対応する前記データ線２００に接続される。即ち、各行のサブ画素３００はいずれも、同じ走査線１００に接続され、且つこの走査線１００は、この行のサブ画素３００に隣接する走査線１００である。各列のサブ画素３００はいずれも、同じデータ線２００に接続され、且つこのデータ線２００は、この列のサブ画素３００に隣接するデータ線２００である。
【００３８】
以上は、本発明の広視野角パネルにおける画素セル３０の幾つかの配置態様の実施例に過ぎず、本発明は、上記幾つかの配置態様を含むが、それらに限定されるものではなく、第１画素セル３１と第２画素セル３２をアレイに均一に混合できればよい。
【００３９】
画素セルに同じ階調信号が入力されたが輝度が異なることは主に以下の方法によって実現される。
本発明の各サブ画素３００には第１ＴＦＴ４１が接続され、前記第１ＴＦＴ４１のゲートは、このサブ画素３００に対応する走査線１００に接続され、前記第１ＴＦＴ４１のソースは、このサブ画素３００に対応するデータ線２００に接続され、前記第１ＴＦＴ４１のドレインは容量４３を介して、このサブ画素３００の画素電極に接続される。
【００４０】
各前記第２サブ画素３０２には、前記第２サブ画素３０２の画素電極の電圧を低くするために、第２ＴＦＴ４２が更に接続される。
【００４１】
図４を参照し続けると、本実施例において、第２ＴＦＴ４２のゲートは、この第２サブ画素３０２が位置する行に対応する走査線１００に接続され、前記第２ＴＦＴ４２のソース／ドレインの一端は、この第２サブ画素の画素電極に接続され、他端は、この第２サブ画素に対応する共通電極に接続される。
【００４２】
第２ＴＦＴ４２が共通電極に接続されて、共通電極は分圧作用を果たす。それにより、この第２サブ画素３０２の画素電極と共通電極との電位が近くなり、前記第２サブ画素３０２の輝度が低下する。
【００４３】
図５を参照すると、図５は、本発明の広視野角パネルのサブ画素と走査線及びデータ線との接続構造の第２実施例の模式図である。
【００４４】
本実施例において、第２ＴＦＴ４２のゲートは、この第２サブ画素３０２が位置する行の次行のサブ画素３００に対応する走査線１００’に接続され、前記第２ＴＦＴ４２のソース／ドレインの一端は、容量４４を介してこの第２サブ画素３０２の画素電極に接続され、他端は、この第２サブ画素に対応する共通電極に接続される。
【００４５】
本実施例において、パネルが動作するとき、１行のサブ画素３００に対応する走査線１００はオンになり、この行のサブ画素３００は正常に充電される。充電が完了した後、次行のサブ画素３００に対応する走査線１００’はオンになり、その前行の画素３００の画素電極及び追加の容量４４を連通させ、容量結合作用により画素電極の電位を共通電極にさらに近くして、この行のサブ画素３００における第２サブ画素３０２の輝度を低下させる。
【００４６】
本発明は表示装置を更に提供する。図６を参照すると、図６は、本発明の表示装置の実施例の構造模式図である。この表示装置は、上記実施例のいずれかの広視野角パネル５００と、この広視野角パネルの外側に設けられる筐体６００とを備える。
【００４７】
本発明の第１サブ画素３０１及び第２サブ画素３０２と走査線１００及びデータ線２００との接続方式は、上記２つの方式を含むがそれらに限定されず、第１サブ画素３０１及び第２サブ画素３０２に同じ階調信号が入力されるが輝度が異なるような他の様々な接続方式を更に含む。
【００４８】
本発明は、広視野角パネルの色ずれ問題を改善し、広視野角の特性を改善することができるだけでなく、広視野角パネルの透過率を向上させることもでき、それにより、バックライトの消費電力を低減し、エネルギーを節約し、環境にやさしい。さらに、本発明は、視覚的効果がより良く、アレイ内の画素の分布をより柔軟に設計することができる。
【００４９】
以上の説明は本発明に係る実施形態に過ぎず、本発明の保護範囲を制限するものではない。本発明の明細書及び添付図面によって作成したすべての同等構造又は同等フローの変更を、直接又は間接的に他の関連する技術分野に実施することは、いずれも同じ理由により本発明の保護範囲内に含まれるべきである。
【図１】
0006530138.tif 000002
【図２】
0006530138.tif 000003
【図３】
0006530138.tif 000004
【図４】
0006530138.tif 000005
【図５】
0006530138.tif 000006
【図６】
0006530138.tif 000007